(57)【要約】【課題】  表示部を具備する電子機器に所定の画像を表示させることを特徴とするモニタリング方法を提供することを目的とする。【解決手段】  カメラ３は所定の画像を撮影し（Ｓ１）ホームゲートウェイ２は撮影された画像を受信する（Ｓ２）。受信された画像は画像記憶部２３に記憶され（Ｓ３）記憶された画像は画像処理部２４で所定のサイズに分割される（Ｓ４）。所定のサイズに分割された画像は画像記憶部２３に記憶される（Ｓ５）。携帯電話５はモニタリングシステムを起動し（Ｓ６）表示希望の所定の画像を指定し（Ｓ７）所定の画像送信に係る命令をホームゲートウェイ２に送信する。画像検索部２５は送信されてきた命令に基き画像検索を開始し（Ｓ８）画像送信部２６は検索された所定の画像を携帯電話５へ送信し（Ｓ９）携帯電話５は所定の画像を受信する（Ｓ１０）。携帯電話５が受信した所定の画像は携帯電話５の具備する表示部に表示される（Ｓ１１）。【選択図】  図４
2005065105.tif 000002
【特許請求の範囲】
【請求項１】
画像を撮影する第１の電子機器と、前記第１の電子機器で撮影された画像を処理する第２の電子機器と、前記処理された画像を表示する表示部を具備する第３の電子機器とを用いたモニタリング方法において、
前記第２の電子機器は、
前記第１の電子機器が撮影した画像を分割することで画像群を作成し、
前記作成された画像を前記第３の電子機器へ送信し、
前記第３の電子機器は、
前記第２の電子機器から送信される画像を表示することを特徴とするモニタリング方法。
【請求項２】
前記第３の電子機器は、前記分割処理によって作成される画像群の枚数情報を、前記第２の電子機器へ送信し、 
前記第２の電子機器は、前記第３の電子機器から送信された前記枚数情報に基いて、前記分割処理を行うことを特徴とする請求項１記載のモニタリング方法。
【請求項３】
前記第３の電子機器は、前記表示部に表示される画像のサイズ情報を、前記第２の電子機器へ送信し、
前記第２の電子機器は、前記第２の電子機器から送信された前記サイズ情報に基いて、前記分割処理を行うことを特徴とする請求項１記載のモニタリング方法。
【請求項４】
前記第３の電子機器は、前記表示部に表示される画像の指定命令を、第２の電子機器に送信し、
前記第２の電子機器は、前記画像の指定命令に基いて、前記分割処理によって作成されるとともに前記第３の電子機器より指定を受けた画像を、前記第３の電子機器へ送信することを特徴とする請求項１記載のモニタリング方法。
【請求項５】
前記第２の電子機器は、前記第１の電子機器で撮影された複数枚の画像群に対して分割処理し、
前記複数枚の画像が撮影された時刻に基いて、前記分割処理によって前記複数枚の画像から作成される画像を記憶することを特徴とする請求項１記載のモニタリング方法。
【請求項６】
画像を撮影する第１の電子機器と、前記第１の電子機器で撮影された画像を処理する第２の電子機器と、前記処理された画像を表示する表示部を具備する第３の電子機器とを用いたモニタリング方法において、
前記第２の電子機器は、
前記第１の電子機器が撮影した画像から所定の画像を抽出し、
前記抽出された前記所定の画像を前記第３の電子機器へ送信し、
前記第３の電子機器は、
前記第２の電子機器から送信される画像を表示することを特徴とするモニタリング方法。
【請求項７】
前記第３の電子機器は、前記第１の電子機器が撮影した画像の範囲内における前記所定の画像の位置情報と前記所定の画像のサイズ情報とを、前記第２の電子機器へ送信し、
前記第２の電子機器は、前記第３の電子機器から送信された前記位置情報と前記サイズ情報とに基いて、前記所定の画像を抽出することを特徴とする請求項６記載のモニタリング方法。
【請求項８】
前記第３の電子機器は、前記表示部に表示される画像の指定命令を、第２の電子機器に送信し、
前記第２の電子機器は、前記画像の指定命令に基いて、前記第３の電子機器より指定を受けた前記所定の画像を、前記第３の電子機器へ送信することを特徴とする請求項６記載のモニタリング方法。
【請求項９】
前記第２の電子機器は、前記第１の電子機器が撮影した複数枚の画像から所定の画像を抽出し、
前記複数枚の画像が撮影された時刻に基いて、前記抽出された前記所定の画像を記憶することを特徴とする請求項６記載のモニタリング方法。
【請求項１０】
前記第３の電子機器は、前記抽出された前記所定の画像の名前情報を、第２の電子機器に送信し、
前記第２の電子機器は、前記名前情報に基いて、前記所定の画像に名前をつけることを特徴とする請求項６記載のモニタリング方法。
【請求項１１】
前記第３の電子機器は、前記表示部に表示される画像の指定命令を、第２の電子機器に送信し、
前記第２の電子機器は、前記画像の指定命令に基いて、前記記憶されている前記所定の画像を、時系列順に、第３の電子機器へ送信することを特徴とする請求項９記載のモニタリング方法。
【請求項１２】
前記第３の電子機器は、前記第２の電子機器を起動させることを特徴とする請求項１又は６記載のモニタリング方法。
【請求項１３】
画像を撮影する第１の電子機器と、画像を表示する表示部を具備する第３の電子機器とに接続される電子機器において、
前記第１の電子機器が撮影した画像を分割処理することで複数枚の画像群を作成する手段と、
前記作成された画像を前記第３の電子機器へ送信する手段と、
を具備することを特徴とする電子機器。
【請求項１４】
前記第１の電子機器で撮影された複数枚の画像群に対して分割処理する手段と、
前記複数枚の画像が撮影された時刻に基いて、前記分割処理によって前記複数枚の画像から作成された画像を記憶する手段と、
を具備することを特徴とする請求項１３記載の電子機器。
【請求項１５】
画像を撮影する第１の電子機器と画像を表示する表示部を具備する第３の電子機器とに接続される電子機器において、
前記第１の電子機器が撮影した画像から所定の画像を抽出する手段と、
前記抽出された前記所定の画像を前記第３の電子機器へ送信する手段と、
を具備することを特徴とする電子機器。
【請求項１６】
前記第１の電子機器で撮影された複数枚の画像群から所定の画像を抽出する手段と、
前記複数枚の画像が撮影された時刻に基いて、前記抽出された前記所定の画像を記憶する手段と、
を具備することを特徴とする請求項１５記載の電子機器。
【発明の詳細な説明】
【技術分野】
【０００１】
本発明は、モニタリング方法に係り、特にモニタリングした情報の処理方法に関する。
【背景技術】
【０００２】
従来、モニタリングシステムは、モニタリングシステムを構成する電子機器の一つであるカメラ等で撮影された画像を、表示部を具備する電子機器に伝送していた。モニタリングシステムに関連する先行技術群を、以下に列挙する。
【０００３】
第１の先行技術として、ズーム機能等を有し撮影方向および撮影範囲を操作することにより上下左右の任意の位置を撮影可能な制御カメラと、該制御カメラの最大撮影可能範囲をカバーする広範囲を撮影するよう設置された単一又は複数の固定カメラと、該固定カメラにより撮影された画像から変化を検出する変化検出部と、該変化検出部で検出した検出信号と共に前記固定カメラの画像を表示する第１表示装置と、該第１表示装置の表示画像に基づき前記制御カメラを制御するカメラ制御部と、前記制御カメラの画像を表示する第２表示装置とを備え、前記固定カメラにより監視範囲全体を撮影し前記第１表示装置に表示すると共に、前記固定カメラにより撮影された範囲を複数領域に分割し、該分割された領域中の任意の領域を前記制御カメラにより詳細に撮影し前記第２表示装置に表示することを特徴とする遠隔監視用カメラシステムがあった（特許文献１参照。）。
【０００４】
第２の先行技術として、任意の位置に設置された広視野角の撮像手段と、この撮像手段によって撮像された映像を伝送する伝送手段と、上記撮像手段が設置された場所から離れた位置に設置された、該伝送手段によって伝送された映
像情報を受信して画像表示する出力手段とを備えた遠隔映像認識システムにおいて、上記出力手段には入力装置を設け、該入力手段を介して該映像画面の任意の範囲、或いは個所を選択することにより、当該選択範囲、或いは個所の映像を拡大若しくは縮小して表示自在としたことを特徴とする遠隔画像認識システムがあった（特許文献２参照。）。
【０００５】
第３の先行技術として、画像データを含むデータを無線受信して画像情報を表示する画像表示機能を有した携帯受信機あって、データを受信する無線受信手段と、受信したデータを復号化するデコーダ手段と、復号化して得た画像データを格納する画像メモリと、画像メモリから画像データを読み出して画像情報を表示する表示手段と、を備え、無線受信手段は表示手段で表示する１画面分の画像データを分割した部分画像データを含むとともに１画面分の画像データに対する部分画像データの位置関係を示す関係情報を含むデータを、１画面分の画像データを再現するために複数回受信し、画像メモリは１画面分の部分画像データを格納し、表示手段は１画面分の部分画像データに基づく画像情報を画面表示することを特徴とする画像表示機能を有する携帯受信機があった（特許文献３参照。）。
【特許文献１】特開２００１−２５１６０８号公報（第３頁、第５図）
【特許文献２】特開２００３−６９９９０号公報（第３頁、第１図）
【特許文献３】特許３１０３７４０号公報（第５頁、第７図）
【発明の開示】
【発明が解決しようとする課題】
【０００６】
特許文献１、特許文献２及び特許文献３に開示された先行技術群において、画像を撮影する電子機器は、撮影された画像に対して、例えば分割処理といった処理を施すことなく、表示部を具備する電子機器に、撮影された画像を全て送信することを特徴としている。
【０００７】
しかしながら、そもそも、表示部を具備する電子機器に、画像等を撮影する電子機器で撮影された画像の全てを送信する必要は無く、撮影される画像の中で、ユーザが見たい所定の画像を、表示部を具備する電子機器に表示させるとよい。
【０００８】
さらに、画像等を撮影する電子機器で撮影される画像が、インターネット等を初めとするネットワークを介して表示部を具備する機器へ伝送される場合、使用されるネットワークの通信帯域が、例えばブロードバンド回線といった広い通信帯域を有する回線ならば、表示部を具備する機器は、迅速にかつ滞り無く、該画像を受信することが可能である。しかしながら、表示部を具備する電子機器が、例えば携帯型電子機器といった、狭い通信帯域を使用する電子機器である場合、狭い通信帯域を使用するとともに表示部を具備する電子機器は、画像を撮影する電子機器で撮影される画像を受信するのに時間を有する、又は、該撮影される画像のデータ容量が極めて大きい場合、受信することが不可能である、という問題点があった。
【０００９】
そこで、本発明は、表示部を具備する電子機器に所定の画像を表示させることを特徴とするモニタリング方法を提供することを目的とする。
【課題を解決するための手段】
【００１０】
上記目的を達成するために、請求項１に係る発明では、画像を撮影する第１の電子機器と、第１の電子機器で撮影された画像を処理する第２の電子機器と、処理された画像を表示する表示部を具備する第３の電子機器とを用いたモニタリング方法において、第２の電子機器は、第１の電子機器が撮影した画像を分割することで画像群を作成し、作成された画像を第３の電子機器へ送信し、第３の電子機器は、第２の電子機器から送信される画像を表示することを特徴とする。
【００１１】
また、請求項６に係る発明では、画像を撮影する第１の電子機器と、第１の電子機器で撮影された画像を処理する第２の電子機器と、処理された画像を表示する表示部を具備する第３の電子機器とを用いたモニタリング方法において、第２の電子機器は、第１の電子機器が撮影した画像から所定の画像を抽出し、抽出された所定の画像を第３の電子機器へ送信し、第３の電子機器は、第２の電子機器から送信される画像を表示することを特徴とする。
【発明の効果】
【００１２】
本発明によれば、表示部を具備する電子機器に、所定の画像を表示させることが可能となる。
【発明を実施するための最良の形態】
【００１３】
図１は、本発明に係るモニタリングシステムの概要を示した図である。
【００１４】
家１には、家１の状況をモニタリングするカメラ３（第１の電子機器）及びこのカメラ３で撮影された画像の処理等を行うホームゲートウェイ２（第２の電子機器）が設けられる。カメラ３は、家１内に敷設されるネットワークを介して、ホームゲートウェイ２に接続、又は、ホームゲートウェイ２に直接、接続される。
【００１５】
ホームゲートウェイ２は、インターネット４を介して、例えば携帯型電子機器である携帯電話５（第３の電子機器）と通信可能である。ホームゲートウェイ２で処理された画像は、インターネット４を介して、携帯電話５へ送信される。携帯電話５はこの受信した画像を表示可能な表示部５ａを具備する。また、携帯電話５は、インタネット４を介して、ホームゲートウェイ２を制御する命令をホームゲートウェイ２に送信することで、ホームゲートウェイ２を制御する。
【００１６】
図２は、ホームゲートウェイのハードウェアブロック図である。
【００１７】
第１のブリッジ回路１２には、ＣＰＵ（Ｃｅｎｔｒａｌ  Ｐｒｏｃｅｓｓｉｎｇ  Ｕｎｉｔ）１１とメインメモリ１３と無線モジュール１４及び第２のブリッジ回路１５とが接続される。
【００１８】
ＣＰＵ１１は、ホームゲートウェイ２全体の制御、及びデータの演算等を行なう。
【００１９】
メインメモリ１３には、ＯＳ（Ｏｐｅｒａｔｉｎｇ  Ｓｙｓｔｅｍ）、デバイスドライバ、実行対象のアプリケーションプログラム及び処理データ等が格納される。
【００２０】
無線制御部１４は、本ホームゲートウェイ２との無線通信を可能とする無線制御部を搭載する他の電子機器と無線通信を行なう際、データの送受信及び変復調等を行う。
【００２１】
第２のブリッジ回路１５には、磁気ディスク装置１６とＩ／Ｏ（Ｉｎｐｕｔ／Ｏｕｔｐｕｔ）コントローラ１７とが接続される。
【００２２】
磁気ディスク装置１５には、ＯＳ、デバイスドライバ、実行対象のアプリケーションプログラム、処理されたデータ等が記憶されている。これら記憶されている情報は、適時メインメモリ１３に転送される。
【００２３】
Ｉ／Ｏコントローラ１９には、ネットワークコントローラ１８とＡＶ（Ａｕｄｉｏ  Ｖｉｓｕａｌ）  Ｉ／Ｆ（ＩｎｔｅｒＦａｃｅ）部２０及びＵＳＢ  Ｉ／Ｆ部２１とが接続される。
【００２４】
ネットワークコントローラ１８には、ネットワークＩ／Ｆ部１９が接続される。このネットワークＩ／Ｆ部１９にネットワークケーブル等を挿入し、該ネットワークケーブルを図１を用いて説明した家１に敷設されるネットワークに接続することで、ホームゲートウェイ２を、該ネットワークに接続することが可能である。
【００２５】
ＡＶ  Ｉ／Ｆ部２０の一例を挙げると、映像入出力端子であるＳ（Ｓｅｐａｒａｔｅ）ビデオ端子又はＩＥＥＥ１３９４に準拠したＤＶ（Ｄｉｇｉｔａｌ  Ｖｉｄｅｏ）入出力端子がある。これらの端子と例えばビデオカメラであるカメラ３とをこれらの端子夫々に適合するケーブルとで接続することで、本ホームゲートウェイ２にカメラ３を接続することが可能となる。
【００２６】
ＵＳＢ  Ｉ／Ｆ部２１には、家１の状況をモニタリングするカメラ３が接続される。
【００２７】
図３は、モニタリングシステムのシステムブロック図である。以下、図３を用いて、本発明に係るモニタリングシステムの概要を説明する。
【００２８】
ホームゲートウェイ２は、例えばＵＳＢ  Ｉ／Ｆ部２１を介して、カメラ３と接続される。さらに、ホームゲートウェイ２は、ネットワークＩ／Ｆ部１９又は無線制御部１４を介して、インターネット４に接続されることで、携帯電話５と通信可能となる。
【００２９】
カメラ３と接続されるホームゲートウェイ２において、図２を用いて説明したＣＰＵ１１が磁気ディスク装置１６に記憶されているプログラム群をメインメモリ１３に転送し、該転送されたプログラムが実行されることをはじめとする諸動作をもって、本発明に係るモニタリングシステムを実現させる機能群の一部が生成される。
【００３０】
本発明に係るモニタリングシステムを実現させる機能群の一部を生成するために、ホームゲートウェイ２は、画像受信部２２と画像記憶部２３と画像処理部２４と画像検索部２５と画像送信部２６及び設定内容記憶部２７とから構成される。
【００３１】
画像受信部２２は、カメラ３で撮像された画像を受信する。
【００３２】
画像記憶部２３は、画像受信部２２で受信された画像を記憶する。
【００３３】
画像処理部２４は、画像記憶部２３に記憶される画像を、所定のサイズに分割する等の処理を行う。この処理に係る画像は、画像記憶部２３に記憶される。
【００３４】
画像検索部２５は、画像検索命令に基いて、画像処理部２４で行われる、例えば分割処理によって作成された画像群の中から、所定の画像を検索する。
【００３５】
画像送信部２６は、画像検索部２５によって検索された所定の画像を、送信先である携帯電話５へ送信する。
【００３６】
設定内容記憶部２７は、本モニタリングシステムに関する諸設定内容を記憶する。
【００３７】
図４は、モニタリングシステムを構成する機器群の動作遷移を示した図である。
【００３８】
図５は、携帯電話操作時における第１の操作画面である。
【００３９】
図６は、携帯電話操作時における第２の操作画面である。
【００４０】
図７は、携帯電話操作時における第３の操作画面である。
【００４１】
図８は、カメラで撮影された画像と表示部に表示されるウィンドウとを比較した図である。
【００４２】
図９は、携帯電話操作時における第４の操作画面である。
【００４３】
以下、図４乃至図９を用いて、本発明に係るモニタリングシステムの動作を説明する。
【００４４】
カメラ３は、家１内における所定の状況を画像として撮影する（ステップ  Ｓ１）。カメラ３による画像撮影後、ホームゲートウェイ２の画像受信部２２は、カメラ３が撮影した画像データを受信する（ステップ  Ｓ２）。
【００４５】
受信された画像データは、図３を用いて説明した画像記憶部２３に記憶される（ステップ  Ｓ３）。この記憶された画像データは、図３を用いて説明した画像処理部２４において、例えば、所定のサイズに分割される（ステップ  Ｓ４）。所定のサイズに分割された画像データは、画像記憶部２３に記憶される（ステップ  Ｓ５）。
【００４６】
モニタリングシステムを使用するユーザは、携帯電話５を用いて、本モニタリングシステムを起動させる。つまり、携帯電話５が、インターネット４を介して、ホームゲートウェイ２の制御等を行うことが可能な状態にする。本モニタリングシステムを起動させる場合における携帯電話５の操作画面を図５に示す。開始ボタンｂ１を押下すると、本モニタリングシステムは起動される（ステップ  Ｓ６）。
【００４７】
さらに、本モニタリングシステムを使用するユーザは、カメラ３で撮影された家１内の所定の状況に関する画像の表示モードを開始したい場合、携帯電話５を用いて、ホームゲートウェイ２で行われる分割処理によって作成された画像群の中から、該携帯電話５の表示部５ａに表示を希望する所定の画像の指定操作を行う（ステップ  Ｓ７）。
【００４８】
本モニタリングシステムによりモニタリングされた画像の表示モードを開始させる場合における携帯電話５の操作画面を図６に示す。ユーザが、開始ボタンｂ２を押下げると、モニタリングされた画像の表示モードが開始される。
【００４９】
さらに、携帯電話５の表示部５ａに表示が希望される所定の画像を指定する場合における携帯電話５の操作画面を図７に示す。カメラで撮影された画像と表示部に表示されるウィンドウとの比較を図８に示す。
【００５０】
図７に示すとおり、表示部５ａ内に設けられるウィンドウＷ１は、家１内に設置されたカメラ３で撮影されるとともに、画像処理部２４によって画像分割処理が行われていない画像の範囲を示す。また、ウィンドウＷ１内に設けられたウィンドウｗ１は、画像処理部２４によって画像分割処理が行われた後の画像の範囲を示す。図８を用いて、ウィンドウＷ１とウィンドウｗ１との関係をさらに説明する。
【００５１】
図８に示すとおり、ウィンドウＷ１とウィンドウｗ１との位置づけは、カメラ３で撮影された画像Ｐ１と、該カメラ３で撮影された画像を画像処理部２４で分割した画像ｐｉｃ１との位置づけを示す。ユーザは、ウィンドウｗ１を選択することで、ウィンドウｗ１と対応づけられているとともに、分割された画像ｐｉｃ１を指定する。
【００５２】
携帯電話５は、ホームゲートウェイ２から本携帯電話５への所定の画像送信に係る命令を、インターネット４を介して、ホームゲートウェイ２に対し、送信する。
【００５３】
ホームゲートウェイ２の画像検索部２５は、携帯電話５から送信されてきた命令に基いて、画像検索を開始する。画像検索部２５は、所定のサイズに分割処理されているとともに、画像記憶部２３に記憶された画像群の中から、携帯電話５が指定した画像を検索する（ステップ  Ｓ８）。
【００５４】
画像検索部２５による所定の画像を検索後、画像記憶部２３に記憶された画像群の中から、携帯電話５が指定した所定の画像を発見した場合、ホームゲートウェイ２の画像送信部２６は、インターネット４を介して、発見された所定の画像を、携帯電話５へ送信する（ステップ  Ｓ９）。しかし、携帯電話５が指定した所定の画像を発見できなかった場合、ホームゲートウェイ２の画像送信部２６は、インターネット４を介して、所定の画像が発見されなかったことをユーザに通知するためのエラーメッセージ等を、携帯電話５へ送信する。
【００５５】
携帯電話５は、画像検索部２５が検索することで発見されるとともに、ホームゲートウェイ２から送信される所定の画像を受信する（ステップ  Ｓ１０）。
【００５６】
携帯電話５が受信した所定の画像は、携帯電話５の具備する表示部５ａに表示される（ステップ  Ｓ１１）。携帯電話５の具備する表示部５ａに、所定の画像が表示される場合における携帯電話５の操作画面を図９に示す。カメラ３で撮影された画像を分割処理することで作成された画像の中で、図８を用いて説明したウィンドウｗ１に相当する画像が、表示部５ａに表示される。
【００５７】
図１０は、ホームゲートウェイ２で行われる画像分割処理の一例を示す図である。
【００５８】
図１１は、携帯電話操作時における第５の操作画面を示す図である。
【００５９】
ホームゲートウェイ２の画像処理部２４は、カメラ３で撮影された画像を分割処理する。この画像処理部２４は、カメラ３で撮影されるとともに画像受信部２２が受信した画像を分割処理する。
【００６０】
図１０に、画像受信部２２で受信した画像の画像分割処理例１及び画像分割処理例２を示す。画像処理例１に示される例は、カメラ３で撮影された画像Ｐ１が４分割される例である。画像Ｐ１は、横６４０ｐｉｘｅｌ×縦４８０ｐｉｘｅｌで構成される画像である。この画像Ｐ１は、１つの画像のサイズが横３２０ｐｉｘｅｌ×縦２４０ｐｉｘｅｌで構成される４枚の画像ｐｉｃ５とｐｉｃ６とｐｉｃ７とｐｉｃ８とに分割される。
【００６１】
さらに、画像処理例２に示される例は、カメラ３で撮影された画像Ｐ１が６分割される例である。画像Ｐ１は、１つの画像のサイズが横３２０ｐｉｘｅｌ×縦１６０ｐｉｘｅｌで構成される６枚の画像に分割される。
【００６２】
カメラ３で撮影された画像を、上記で説明したとおり、例えば４分割又は６分割といった任意のサイズに分割するためのデータは、図３を用いて説明した設定内容記憶部２７に記憶されている。画像分割処理は、カメラ３によって撮影された画像が画像受信部２２によって受信されると、設定内容記憶部２７に記憶される画像分割サイズに関するデータに基いて、画像処理部２４によって行われる。
【００６３】
また、画像処理部２４の画像分割処理によって作成される画像のサイズは、上記で説明した以外に、以下に説明する手順に従って決定される。
【００６４】
携帯電話５を用いてモニタリングシステムを起動し、モニタリングシステムが使用可能な状態において、携帯電話５は、表示部５ａに表示される画像のサイズ情報を、ホームゲートウェイ２に送信する。ホームゲートウェイ２は、該画像のサイズ情報を受信し、この画像のサイズ情報は、設定内容記憶部２７に記憶される。画像処理部２４は、設定内容記憶部２７に記憶される該画像のサイズ情報に基いて、画像分割処理を行う。
【００６５】
さらに、携帯電話５は、モニタリングシステム５が使用可能な状態において、カメラ３によって撮影された画像を何分割にするかを指定することが可能である。
【００６６】
図１１に示すとおり、携帯電話５の表示部５ａに、カメラ３で撮影された画像を４分割にすることを指定するボタンｂ３、及び６分割にすることを指定するボタンｂ４とを設ける。
【００６７】
例えば、４分割にすることを指定するボタンｂ３をクリックすることで、携帯電話５は、カメラ３によって撮影された画像を４分割するという命令（以下、画像分割命令と称す。）を、ホームゲートウェイ２に送信する。ホームゲートウェイ２は、この画像分割命令を受信し、さらに、受信された画像分割命令内容は、設定内容記憶部２７に記憶される。画像処理部２４は、設定内容記憶部２７に記憶された、画像分割命令内容に基いて、画像分割処理を行う。
【００６８】
図１２は、撮影された画像及び分割された画像の記憶方法の一例を示す図である。
【００６９】
カメラ３は画像Ｐ１を撮影し、画像処理部２４によって、当該画像Ｐ１は、例えば４分割され、画像Ｐ１＿１、画像Ｐ１＿２、画像Ｐ１＿３、及び画像Ｐ１＿４が作成されるとする。
【００７０】
これらの画像群である、画像Ｐ１、画像Ｐ１＿１、画像Ｐ１＿２、画像Ｐ１＿３及び画像Ｐ１＿４は、フォルダｆ１内に記憶される。
【００７１】
さらに、カメラ３が画像Ｐ２を撮影した場合、上述で説明した画像Ｐ１の場合と同様に、当該画像Ｐ２は、画像処理部２４によって、例えば４分割されることで、画像Ｐ２＿１、画像Ｐ２＿２、画像Ｐ２＿３、及び画像Ｐ２＿４が作成される。そして、これらの画像群、画像Ｐ２、画像Ｐ２＿１、画像Ｐ２＿２、画像Ｐ２＿３、及び画像Ｐ２＿４は、フォルダｆ２内に記憶される。
【００７２】
上述で説明した、画像群が記憶されるフォルダは、時系列に管理される。例えば、画像Ｐ１は時刻ｔ１にカメラ３によって撮影され、時刻ｔ１以降の時刻ｔ２に、画像Ｐ２はカメラ３によって撮影されたとする。
【００７３】
この場合、図１１に示すとおり、画像Ｐ１を初めとする画像群が記憶されたフォルダｆ１は、時刻ｔ１と対応づけられ、画像Ｐ２を初めとする画像群が記憶されたフォルダｆ２は、時刻ｔ２と対応づけれる。
【００７４】
また、あらかじめ、画像群が記憶されるフォルダ数を設定しておくことで、カメラ３で撮影された画像の枚数が、設定されたフォルダ数の値を越えると、古い時刻と対応づけられたフォルダ（例えば、図１１における時刻ｔ１と対応づけられたフォルダｆ１）内の画像に対して、削除又は移動等の処理を行う。さらに、画像群の処理が行われたフォルダ内に、カメラ３で新たに撮影された画像及び当該画像を分割した画像群が記憶される。
【００７５】
図１３は、ホームゲートウェイ２で行われる画像抽出処理の一例を示す図である。
【００７６】
図１４は、携帯電話操作時における第６の操作画面を示す図である。
【００７７】
ホームゲートウェイ２の画像処理部２４は、カメラ３で撮影した画像に対し、抽出処理を行う。この画像処理部２４は、カメラ３で撮影されるとともに画像受信部２２が受信した画像の範囲内における所定の位置から、所定のサイズの画像を抽出する。
【００７８】
図１３に、画像受信部２２で受信した画像の画像抽出処理例１及び画像抽出処理例２を示す。画像抽出処理例１に示される例は、カメラ３で撮影される画像Ｐ１の範囲内における所定の位置から、所定のサイズの画像を１枚抽出する例である。画像Ｐ１は、横６４０ｐｉｘｅｌ×縦４８０ｐｉｘｅｌで構成される画像である。この画像Ｐ１の範囲内における位置ｌｏ１から、例えば、１枚の画像のサイズが横３２０ｐｉｘｅｌ×縦２４０ｐｉｘｅｌで構成される画像ｐｉｃ９が抽出される。
【００７９】
さらに、画像抽出処理例２に示される例は、カメラ３で撮影される画像Ｐ１の範囲内から、所定のサイズの画像を２枚抽出する例である。この画像Ｐ１の範囲内における位置ｌｏ２及び位置ｌｏ３から、例えば、１枚の画像のサイズが横３２０ｐｉｘｅｌ×縦１６０ｐｉｘｅｌで構成される画像ｐｉｃ１０及び画像ｐｉｃ１１の夫々が抽出される。
【００８０】
上記で説明したとおり、カメラ３で撮影される画像の範囲内における所定の位置から、例えば所定のサイズである１枚又は２枚の画像を抽出するためのデータは、図３を用いて説明した設定内容記憶部２７に、予め記憶されている。カメラ３によって撮影される画像が画像受信部２２によって受信されると、設定内容記憶部２７に記憶されるとともに、カメラ３で撮影された画像の範囲内における所定の位置から所定のサイズの画像を抽出する処理に関するデータに基いて、画像抽出処理は、画像処理部２４によって行われる。
【００８１】
また、画像処理部２４における画像抽出処理によって作成される画像のサイズ及び、カメラ３によって撮影される画像の範囲内における、作成された画像の所定の位置は、上記で説明した以外に、以下に説明する手順に従って決定される。
【００８２】
携帯電話５を用いてモニタリングシステムを起動し、モニタリングシステムが使用可能な状態において、携帯電話５は、表示部５ａに表示される画像のサイズ情報を、ホームゲートウェイ２に送信する。ホームゲートウェイ２は、表示部５ａに表示される画像のサイズ情報を受信し、この画像のサイズ情報は、設定内容記憶部２７に記憶される。画像処理部２４は、予め設定内容記憶部２７に記憶されている、カメラ３で撮影された画像の範囲内における所定の位置情報、及び携帯電話５から送信された、所定のサイズ情報とに基いて、カメラ３で撮影される画像の範囲内において、画像抽出処理を行う。
【００８３】
さらに、携帯電話５は、モニタリングシステム５が使用可能な状態において、カメラ３によって撮影された画像の範囲内における所定の位置と、抽出される画像の所定のサイズとを指定することが可能である。
【００８４】
図１４に示すとおり、携帯電話５の表示部５ａに、カメラ３で撮影される画像の範囲を表すウィンドウＷ２を設ける。
【００８５】
このウィンドウＷ２内で、抽出したい画像の位置と画像のサイズとを指定する。例えば、ウィンドウＷ２内の位置ｌｏ４にウィンドウｗ５を指定することで、カメラ３で撮影される画像の範囲内において、抽出したい画像の位置とサイズとを指定する。この抽出したい画像のサイズは、カメラ３で撮影される画像より小さなサイズである。
【００８６】
さらに、カメラ３で撮影される画像の範囲内において、複数毎の画像を抽出したい場合、位置ｌｏ４にウィンドウｗ５を指定した後、続けてウィンドウＷ２内の位置ｌｏ５にウィンドウｗ６を指定することで、抽出したい複数枚の画像の位置及びサイズとを、続けて指定する。
【００８７】
抽出したい画像の位置情報とサイズ情報とを指定した後、これらの情報に基く画像抽出命令が、携帯電話５からホームゲートウェイ２へ送信される。ホームゲートウェイ２は、この画像抽出命令を受信し、さらに、受信された画像抽出命令内容は、設定内容記憶部２７に記憶される。画像処理部２４は、設定内容記憶部２７に記憶される画像抽出命令内容に基いて、画像抽出処理を行う。
【００８８】
画像処理部２４によって、カメラ３で撮影される画像から抽出された画像は、画像記憶部２７に記憶される。そして、携帯電話５からホームゲートウェイ２へ送信される、当該抽出された画像の携帯電話５への送信命令に基いて、当該抽出された画像は、ホームゲートウェイ２から携帯電話５へと送信される。
【００８９】
図１５は、携帯電話操作時における第７の操作画面を示す図である。
【００９０】
画像処理部２４で処理されることで作成される画像に、名前をつける手順を、以下に説明する。
【００９１】
携帯電話５を用いてモニタリングシステムを起動し、モニタリングシステムが使用可能な状態において、携帯電話５は、画像処理部２４による処理で作成される画像に対するネーミング命令をホームゲートウェイ２に送信する。ホームゲートウェイ２は、この命令を受信後、カメラ３で撮影される画像の範囲内における、抽出された画像の所定の位置及びサイズに係る情報を、携帯電話５へ送信する。
【００９２】
携帯電話５は、ホームゲートウェイ２から、カメラ３で撮影される画像の範囲内における、抽出された画像の所定の位置及び所定のサイズに係る情報を受信した後、携帯電話５の表示部５ａに設けられた、カメラ３で撮影された画像の範囲を表すウィンドウＷ２内に、カメラ３で撮影される画像の範囲内における、抽出された画像の位置とサイズとが表示される。例えば、画像処理部２４による画像抽出処理で作成された２枚の画像の位置とサイズとに関する情報に基いて、ウィンドウＷ２内にウィンドウｗ５とウィンドウｗ６とを表示させる。
【００９３】
ユーザは、例えば、ウィンドウＷ２内に表示されるウィンドウｗ５を選択し、名前入力欄ｂｏ１に任意の名前を入力することで、ウィンドウｗ５に対応する画像に名前をつける。このウィンドウｗ５に対応する画像につけられた名前情報は、携帯電話５からホームゲートウェイ２へ送信され、ホームゲートウェイ２の設定内容記憶部２７に記憶される。
【００９４】
ユーザが、画像処理部２４によって処理される画像等に対し任意の名前をつけられるメリットを、以下に説明する。
【００９５】
カメラ３で撮影された画像から抽出された画像の表示内容を、ユーザが予め解っているとする。例えば、図１５を用いて説明したウィンドウｗ５の位置に対応する、抽出処理によって作成された画像の表示内容が"窓"であり、さらに、ウィンドウｗ６の位置に対応する、抽出処理によって作成された画像の表示内容が"テーブルの上"であるとする。
【００９６】
予め、表示部５ａに表示される画像の表示内容が解っている場合、該表示される画像に対し、抽象的な番号等をつけることと比較して、具体的な画像内容を示す名前、例えば上述した「窓」といった名前をつけることで、ユーザは、表示部５ａに表示される画像を、より具体的に認識することが可能となる。
【００９７】
図１６は、携帯電話操作時における第８の操作画面を示す図である。
【００９８】
図１７は、携帯電話操作時における第９の操作画面を示す図である。
【００９９】
以下、画像処理部２４で処理された画像を、所定の順番に従って、携帯電話５の表示部５ａに表示する方法の一例を説明する。
【０１００】
画像処理部２４で処理された画像を、所定の順番に従って、携帯電話５の表示部５ａに表示させる場合、図１６に示すように、画像処理部２４で処理された画像に対してつけられた名前を、表示部５ａに表示させる。
【０１０１】
一例を挙げると、図１５を用いて説明した方法で、画像処理部２４で処理された画像に対して、「窓」及び「机」と名づけられていた場合、窓ボタンｂ５及び机ボタンｂ６を表示部５ａに表示する。ユーザが、モニタリングされた窓の状況を見たい場合、窓ボタンｂ５をクリックする。窓ボタンｂ５をクリックすると、携帯電話５からホームゲートウェイ２に対して、「画像処理部２４で処理され画像記憶部２７に記憶されている窓の状況をモニタリングした画像群を、ホームゲートウェイ２から携帯電話５へ送信させる命令」が送られる。この命令を受信したホームゲートウェイ２は、窓の状況をモニタリングした画像群を、所定の順番に従って、順次、携帯電話５へ送信する。送信された画像群は、図１７に示されるように、順次、携帯電話５の表示部５ａに表示される。
【０１０２】
ホームゲートウェイ２から携帯電話５へ順次送信される画像群の所定の順番は、図１２を用いて説明した、画像処理部２４で処理された時刻順に従う。すなわち、図１２を用いて説明した、処理された画像群が記憶されるフォルダは、画像が処理された時刻と対応づけられているので、所定の時刻と対応づけられているフォルダに記憶される、所定の画像を順次、ホームゲートウェイ２から携帯電話５へ送信する。
【０１０３】
図１２を用いて具体的に説明すると、例えば、時刻ｔ１と対応づけられたフォルダｆ１に記憶されている窓の状況をモニタリングした画像を、ホームゲートウェイ２から携帯電話５へ送信し、その後、時刻ｔ１より後の時刻ｔ２と対応づけられたフォルダｆ２に記憶されている窓の状況をモニタリングした画像を、ホームゲートウェイ２から携帯電話５へ送信する、といった具合である。
【０１０４】
画像処理部２４で抽出処理された画像を、画像処理部２４で抽出処理された時刻順に従って、表示部５ａに表示することで、ユーザは、携帯電話５を用いて、該抽出処理された画像の状況が示す状況の変化を、認識することが可能となる。例えば、上述で説明したように、抽出処理された窓の状況を示す画像群を、抽出処理された時刻順に従って表示部５ａに表示することで、窓の状況変化を、携帯電話５を用いて認識することが可能となる。
【０１０５】
本発明ではその主旨を逸脱しない範囲であれば、上記の実施形態に限定されるものではない。そして、カメラで撮影される画像のみならず、動画を含む映像に広く適用できるものである。
【図面の簡単な説明】
【０１０６】
【図１】本発明に係るモニタリングシステムの概要を示した図。
【図２】ホームゲートウェイのハードウェアブロック図。
【図３】モニタリングシステムのシステムブロック図。
【図４】モニタリングシステムを構成する機器群の動作遷移を示した図。
【図５】携帯電話操作時における第１の操作画面。
【図６】携帯電話操作時における第２の操作画面。
【図７】携帯電話操作時における第３の操作画面。
【図８】カメラで撮影された画像と表示部に表示されるウィンドウとを比較した図。
【図９】携帯電話操作時における第４の操作画面。
【図１０】ホームゲートウェイ２で行われる画像分割処理の一例を示す図。
【図１１】携帯電話操作時における第５の操作画面を示す図。
【図１２】撮影された画像及び分割された画像の記憶方法の一例を示す図。
【図１３】ホームゲートウェイ２で行われる画像抽出処理の一例を示す図。
【図１４】携帯電話操作時における第６の操作画面を示す図。
【図１５】携帯電話操作時における第７の操作画面を示す図。
【図１６】携帯電話操作時における第８の操作画面を示す図。
【図１７】携帯電話操作時における第９の操作画面を示す図。
【符号の説明】
【０１０７】
１…家、２…ホームゲートウェイ、３…カメラ、４…インターネット、
５…携帯電話、１１…ＣＰＵ、１２…第１のブリッジ回路、
１３…メインメモリ、１４…無線制御部、１５…第２のブリッジ回路、
１６…磁気ディスク装置、１７…Ｉ／Ｏコントローラ、
１８…ネットワークコントローラ、１９…ネットワークＩ／Ｆ部
２０…ＡＶ  Ｉ／Ｆ部、２１…ＵＳＢ  Ｉ／Ｆ部、
２２…画像受信部、２３…画像記憶部、２４…画像処理部、
２５…画像検索部、２６…画像送信部、２７…設定内容記憶部、
【図１】
2005065105.tif 000003
【図２】
2005065105.tif 000004
【図３】
2005065105.tif 000005
【図４】
2005065105.tif 000006
【図５】
2005065105.tif 000007
【図６】
2005065105.tif 000008
【図７】
2005065105.tif 000009
【図８】
2005065105.tif 000010
【図９】
2005065105.tif 000011
【図１０】
2005065105.tif 000012
【図１１】
2005065105.tif 000013
【図１２】
2005065105.tif 000014
【図１３】
2005065105.tif 000015
【図１４】
2005065105.tif 000016
【図１５】
2005065105.tif 000017
【図１６】
2005065105.tif 000018
【図１７】
2005065105.tif 000019